(57)【要約】      （修正有）【課題】二つのスピーカーアンプの間の接続ケーブルの収納や長さの調整を行うことができ、また必要に応じて接続ケーブルの接続関係を切断することができるスピーカーアンプ構造を提供する。【解決手段】二つのスピーカーアンプと、二つのスピーカーアンプの内片方に設けられたスイッチと電力供給ユニットと、によって構成する。スピーカーアンプは、外側にケーブル取り出し孔を、内部にケーブル巻き取り構造を備える。ケーブル巻き取り構造は、接続ジャックに接続する接続ケーブルを備える。接続ジャックと接続ケーブルはケーブル取り出し孔を選択的に貫通し、二つのスピーカーアンプの内片方の外側には差し込み口が設けられ、差し込み口はもう片方のスピーカーアンプに設けられた接続ジャックと接続する。【選択図】図５
0003158310.tif 000002
【実用新案登録請求の範囲】
【請求項１】
ケーブル取り出し孔とケーブル巻き取り構造をそれぞれが具え、該ケーブル取り出し孔は該二つのスピーカーアンプの外側に設けられ、該ケーブル巻き取り構造は該二つのスピーカーアンプの内部に設けられ、各該ケーブル巻き取り構造は接続ケーブルを具え、該接続ケーブルの外側の端子は接続ジャックに接続され、該接続ジャックと該接続ケーブルは該ケーブル取り出し孔を選択的に貫通し、二つのスピーカーアンプの内片方の外側には差し込み口が設けられ、該差し込み口はもう片方のスピーカーアンプに設けられた接続ジャックと接続する、二つのスピーカーアンプと、
該二つのスピーカーアンプの内片方に設けられたスイッチと、
該二つのスピーカーアンプの内片方に設けられた電力供給ユニットと、
によって構成することを特徴とするスピーカーアンプ構造。
【請求項２】
各該スピーカーアンプはスピーカー部、弾性体及び台座を具え、該台座と該スピーカー部の対向する面には、それぞれ複数の係止部材が設けられ、該台座と該スピーカー部を係止し、該弾性体は該台座と該スピーカー部の間に位置することを特徴とする、請求項１に記載のスピーカーアンプ構造。
【請求項３】
各スピーカーアンプには、少なくとも一つの磁石が設けられ、該少なくとも一つの磁石は各該スピーカーアンプの下方に設けられ、該複数の磁石は相互に引寄せられ吸着し、あるいは、該二つのスピーカーアンプの内片方に、少なくとも一つの磁石が設けられ、もう片方の該スピーカーアンプには鉄板が設けられ、該少なくとも一つの磁石と該鉄板は各該スピーカーアンプの下方に設けられ、該磁石と該鉄板は相互に引寄せられ吸着し、更に、各該スピーカーアンプ下方には複数の凹部と複数の凸部が設けられ、片方のスピーカーアンプの凹部と凸部は、もう片方のスピーカーアンプの凸部と凹部とそれぞれ対応していることを特徴とする、請求項１に記載のスピーカーアンプ構造。
【請求項４】
該電力供給ユニットは電池ケースであり、該電池ケースには充電電池が取り付けられ、該電池ケースと、それに対応する該差し込み口の該接続ジャックは同一のスピーカーアンプ上に設けることを特徴とする、請求項１に記載のスピーカーアンプ構造。
【請求項５】
各該接続ジャックの側辺はそれぞれ延伸して蓋カバー線を形成し、該蓋カバー線の一端は蓋カバーを形成し、該蓋カバーの形状の大きさは、該蓋カバーが対応するケーブル取り出し孔とほぼ等しく、該蓋カバーの外側表面は凸出して引っ張り部を形成することを特徴とする、請求項１に記載のスピーカーアンプ構造。
【考案の詳細な説明】
【技術分野】
【０００１】
本考案はスピーカーアンプ構造に関し、特に、接続ケーブルを収納する機能をもつスピーカーアンプ構造に関する。
【背景技術】
【０００２】
図１は、従来のスピーカーアンプ構造の斜視図である。該スピーカーアンプ構造は、少なくとも二つのスピーカーアンプ１ａ、接続ケーブル２ａ、及び電源接続ケーブル３ａとによって構成する。該接続ケーブル２ａの各端は、それぞれ各スピーカーアンプ１ａに電気的に接続され、該電源接続ケーブル３ａは該複数のスピーカーアンプ１ａの内一つに設けられ、該複数のスピーカーアンプ１ａが音を発するための電力を供給する。
【０００３】
しかしながら、上述した従来のスピーカーアンプ構造は、外に露出した接続ケーブル２ａの長さが固定されているため、外に露出した接続ケーブル２ａが収納できず、乱雑になるという問題が頻繁に発生する。また、接続ケーブル２ａの長さが固定されていると、使用者は自分のスペースに合わせて該複数のスピーカーアンプ１ａを自由に配置することができない。
【０００４】
本考案者は、上述の欠点を改善並びに解決するために、度重なる研究と学術理論の運用を行った結果、上述の欠点を改善するのに合理的で有効な設計である本考案を提出する。
【考案の概要】
【考案が解決しようとする課題】
【０００５】
本考案は、二つのスピーカーアンプの間の接続ケーブルを収納することができるスピーカーアンプ構造を提供することを目的とする。
【０００６】
また、本考案は、二つのスピーカーアンプの間の接続ケーブルの長さを自由に調整することができるスピーカーアンプ構造を提供することを目的とする。
【０００７】
また、本考案は、二つのスピーカーアンプの間の接続ケーブルの接続関係を必要に合わせて切断することができるスピーカーアンプ構造を提供することを目的とする。
【課題を解決するための手段】
【０００８】
上述の目的を達成するために、本考案によるスピーカーアンプ構造は、ケーブル取り出し孔とケーブル巻き取り構造をそれぞれが具え、該ケーブル取り出し孔は該二つのスピーカーアンプの外側に設けられ、該ケーブル巻き取り構造は該二つのスピーカーアンプの内部に設けられ、各該ケーブル巻き取り構造は接続ケーブルを具え、該接続ケーブルの外側の端子は接続ジャックに接続され、該接続ジャックと該接続ケーブルは該ケーブル取り出し孔を選択的に貫通し、二つのスピーカーアンプの内片方の外側には差し込み口が設けられ、該差し込み口はもう片方のスピーカーアンプに設けられた接続ジャックと接続する、二つのスピーカーアンプと、該二つのスピーカーアンプの内片方に設けられたスイッチと、該二つのスピーカーアンプの内片方に設けられた電力供給ユニットと、によって構成する。
【考案の効果】
【０００９】
本考案は、従来は外に露出した接続ケーブルが収納できず乱雑になりやすかった欠点、接続ケーブルが固定された長さであるため複数のスピーカーアンプの配置を自由に行えないという欠点、スピーカーアンプを使用しないときでも二つのスピーカーアンプを接続したままにしなければならないなどの欠点を解決し、必要に応じてスピーカーアンプの配置を自由に行えることにより利便性が高まる効果や、収納性を向上させる効果をもつ。
【図面の簡単な説明】
【００１０】
【図１】図１は従来のスピーカーアンプ構造を示した斜視図である。
【図２】図２は本考案のスピーカーアンプ構造を示した平面図である。
【図３】図３は本考案のスピーカーアンプ構造を示した斜視図である。
【図４】図４は本考案のスピーカーアンプ構造を示した斜視図である。
【図５】図５は本考案のスピーカーアンプ構造を使用する時の状態を示した説明図である。
【図６】図６は本考案のスピーカーアンプ構造を充電する時の状態を示した説明図である。
【考案を実施するための形態】
【実施例】
【００１１】
図２から図５に示すように、本考案によるスピーカーアンプ構造は、二つのスピーカーアンプ１、２、二つのケーブル巻き取り構造１４、２４、スイッチ１１２、及び電力供給ユニット１７によって構成される。該二つのスピーカーアンプ１、２は、台座１１、２１、スピーカー部１２、２２、及び弾性体１３、２３を具える。
【００１２】
図３と図５に示すように、該スピーカーアンプ１は円柱状の形状をしており、弾性体１３は台座１１とスピーカー部１２の間に位置し、弾性体１３は合成樹脂の材質からなり弾性をもつ蛇腹パイプ（ｂｅｌｌｏｗ）である。台座１１とスピーカー部１２が対向する面は、その外側の辺縁に近い箇所に複数の係止部材１１１、１２１が設けられる。該複数の係止部材１１１は、円柱状に近い形状のスピーカーアンプ１の円心方向に向かって伸びる凸型ブロックであり、該複数の係止部材１１１底部は平面を呈し、該複数の係止部材１２１は「Ｌ」状を呈する。使用者がスピーカー部１２を台座１１の方向に押すと、該複数の係止部材１２１の底部は該複数の係止部材１１１の底部に当接され、更にスピーカー部１２を回転させることで、該複数の係止部材１２１の底部は該複数の係止部材１１１の底部に係止され、図２に示すように、該台座１１とスピーカー部１２の間の距離は縮む。同様に、スピーカーアンプ２は円柱状に近い形状をしており、弾性体２３、台座２１の係止部材２１１、スピーカー部２２の係止部材２２１は、スピーカーアンプ１のそれらと同じ機能と構造を具えている。その他、スピーカー部１２、２２の頂部は複数の透音孔１２２、２２２を具え、台座１１、２１の底面は円形を呈し、台座１１、２１の底面の面積は等しい。
【００１３】
図２から図４に示すように、台座１１は、インジケーターランプ１１３、凸部１１４、凹部１１５、ケーブル取り出し孔１５、及び磁石１６を具える。台座２１は、差し込み口２１２、サムホイール２１３、凸部２１４、凹部２１５、ケーブル取り出し孔２５、及び磁石２６を具える。
【００１４】
スイッチ１１２、インジケーターランプ１１３は台座１１の外側に設けられ、スイッチ１１２は左右に動かすことで本考案の電源のオンとオフを切り換えることができる。インジケーターランプ１１３は、発光することで本考案が使用中であることを表示することができる。本考案の実施例において、スイッチ１１２は左側に動かすと電源がオフになり、インジケーターランプ１１３は発光しなくなる。差し込み口２１２、サムホイール２１３は台座２１の外側に設けられ、サムホイール２１３は円盤状を呈し、サムホイール２１３の一部は台座２１の内部に嵌入し、サムホイール２１３の外側を左右に回すように動かすことで、本考案の音量を調整することができる。
【００１５】
磁石１６、２６は、台座１１、２１内部の底部に近い箇所にそれぞれ設けられる。磁石１６底面の磁極と磁石２６底面の磁極は相互に異なり、台座１１の底部と台座２１の底部は相互に引き寄せ合い吸着する。図３に示すように、台座１１の底面には複数の凸部１１４と複数の凹部１１５が設けられ、台座２１の底面には複数の凸部２１４と複数の凹部２１５が設けられる。本實施例において、該複数の凸部１１４と該複数の凹部１１５の数量はそれぞれ三個であり、互いに間隔を空けて設けられ正六角形に近い形状の六個の頂点箇所にそれぞれ配置される。同様に、台座２１の該複数の凸部２１４と該複数の凹部２１５の数量はそれぞれ三個であり、互いに間隔を空けて設けられ正六角形に近い形状の六個の頂点箇所にそれぞれ配置される。該複数の凸部１１４は該複数の凹部２１５に対応し、該複数の凹部１１５は該複数の凸部２１４に対応していて、台座１１、２１の底面を相互に対向させながら台座１１、２１を相互に近づけたとき、磁石１６、２６によって台座１１、２１の底部同士は吸着するとともに、該複数の凸部１１４は該複数の凹部２１５に嵌入し、該複数の凸部２１４は該複数の凹部１１５に嵌入し、台座１１、２１の底面同士は完全に重なって連結される。もちろん、磁石１６、２６の内の一つを鉄板（図示せず）に置き換えても、同様の効果を生むことができる。また、該複数の凸部１１４、２１４の材質はゴムにすることができる。
【００１６】
ケーブル巻き取り構造１４、１５は、ケーブル巻き取りケース１４１、２４１、接続ケーブル１４２、２４２を具え、ケーブル巻き取りケース１４１、２４１は磁石１６、２６上方にそれぞれ設けられる。台座１１のケーブル取り出し孔１５は長方形を呈し、台座２１のケーブル取り出し孔２５は楕円形を呈する。
【００１７】
ケーブル巻き取りケース１４１は巻軸及び巻バネ（図示せず）を具える。該巻バネは該巻軸上に設けられ、該接続ケーブル１４２の内側の端子は該巻軸上に接続される。該巻バネは、該接続ケーブル１４２が該巻軸上に巻かれるときの回復弾力を提供し、該接続ケーブル１４２を収納したり、該接続ケーブル１４２の長さを調節したりすることができるようになる。図４に示すように、該接続ケーブル１４２の外側の端子は接続ジャック１４３に接続し、該接続ジャック１４３と該接続１４２は該ケーブル取り出し孔１５を選択的に貫通し、接続ジャック１４３の側辺は延伸して蓋カバー線１４４を形成し、該蓋カバー線１４４の一端は蓋カバー１４５を形成し、蓋カバー１４５の形状の大きさはそれに対応するケーブル取り出し孔１５の形状（長方形）の大きさとほぼ等しく、該接続ケーブル１４２と該接続ジャック１４３を収納する時に、巻バネが提供する回復弾力を利用して、図２に示すように蓋カバー１４４でケーブル取り出し孔１５の蓋をすることができる。該蓋カバー１４５の外側表面は、凸出して引っ張り部１４５１を形成し、収納した接続ケーブル１４２と接続ジャック１４３を使用者が引っ張り出すのに便利である。
【００１８】
ケーブル巻き取りケース２４１は巻軸及び巻バネ（図示せず）を具える。該巻バネは該巻軸上に設けられ、該接続ケーブル２４２の内側の端子は該巻軸上に接続される。該巻バネは、該接続ケーブル２４２が該巻軸上に巻かれるときの回復弾力を提供し、該接続ケーブル２４２を収納したり、該接続ケーブル２４２の長さを調節したりすることができるようになる。図４に示すように、該接続ケーブル２４２の外側の端子は接続ジャック２４３に接続し、該接続ジャック２４３と該接続ケーブル２４２は該ケーブル取り出し孔２５を選択的に貫通し、接続ジャック２４３の側辺は延伸して蓋カバー線２４４を形成し、該蓋カバー線２４４の一端は蓋カバー２４５を形成し、蓋カバー２４５の形状の大きさはそれに対応するケーブル取り出し孔２５の形状（楕円形）の大きさとほぼ等しく、該接続ケーブル２４２と該接続ジャック２４３を収納する時に、巻バネが提供する回復弾力を利用して、図２に示すように蓋カバー２４４でケーブル取り出し孔２５の蓋をすることができる。該蓋カバー２４５の外側表面は、凸出して引っ張り部２４５１を形成し、収納した接続ケーブル２４２と接続ジャック２４３を使用者が引っ張り出すのに便利である。
【００１９】
電力供給ユニット１７は、電力をスピーカーアンプ１、２に供給することができるユニットであり、それは、外部接続する電源接続ケーブル（図示せず）にすることもできるし、内蔵の電池ケース１７１にすることもできる。本實施例においては、図５に示すように、電力供給ユニット１７は電池ケース１７１であり、該電池ケースには充電電池１７２が取り付けられ、該電池ケース１７１は台座１１内部に位置する。
【００２０】
図５に示すように、本考案を使用する時、スピーカーアンプ１、２は分離され、台座１１、１２の底面は机上面（図示せず）には直接接触せず、該複数の凸部１１４、２１４を通じて机上面と接触し、台座１１、１２の底面が机上面との摩擦で傷つかない構造になっており、また、該複数の凸部１１４、２１４はゴムの材質によってなるため、スピーカーアンプ１、２が滑らない効果も生じる。
【００２１】
使用者が、スピーカーアンプ１の接続ジャック１４３の前端をスピーカーアンプ２の差し込み口２１２に差し込み、スピーカーアンプ２の接続ジャック２４３の前端を音源の差し込み口（図示せず）に差し込み、スイッチ１１２を右側に動かすと、電力供給ユニット１７が電力を供給し始め、インジケーターランプ１１３が発光する。音源からの電磁波（図示せず）は接続ジャック２４３、接続ケーブル２４２を通ってスピーカーアンプ２の内部まで伝送され、該電磁波は更に接続ジャック１４３、接続ケーブル１４２を通ってスピーカーアンプ１の内部にまで伝送される。同時に、電力供給ユニット１７が提供する電力の一部はスピーカーアンプ１に伝送され、スピーカーアンプ１は震動し音を発する。また、電力供給ユニット１７が提供する電力の残りの一部は、接続ケーブル１４２、接続ジャック１４３を通ってスピーカーアンプ２内部にも伝送され、スピーカーアンプ２は震動し音を発する。もし使用者が、より優れた音響効果や美しい外観を求めるときは、スピーカー部１２、２２をそれぞれ反時計回りに回転させ（図５を参照）、スピーカー部１２、２２の係止部材１２１、２２１と台座１１、２１の係止部材１１１、２１１を分離させると、圧縮状態だった弾性体１３、２３は伸長し、スピーカー部１２、２２と台座１１、２１の距離を長くすることができる。更に、使用者が台座１１、２１の底面を磁力によって連結させることで、本考案が占めるスペースを節約することもできる。
【００２２】
本實施例において、電池ケース１７１には充電電池１７２が取り付けられ、スピーカーアンプ１の接続ジャック１４３の前端は電気接続器３の一端に接続される。電気接続器３のもう一端はＵＳＢジャックであるため、パソコンや充電器に接続することができ、それにより電力が接続ジャック１４３、接続ケーブル１４２を通って充電電池１７２に伝送される。当然、本考案の充電電池１７２の充電方法はどんな方式でもかまわない。
【００２３】
本考案のスピーカーアンプ構造は、各スピーカーアンプがもつケーブル巻き取り構造によって、本考案を使用しない時は、接続ケーブルと接続ジャックをスピーカーアンプ内部に収納することができ、本考案を使用する時は、スピーカー部と台座の間の距離を弾性体を延長することで長くし、使用者はより優れた音響効果と美しい外観効果を享受することができる。二つのスピーカーアンプは、使用しない時は、片方のスピーカーアンプの接続ジャックともう片方のスピーカーアンプの差し込み口を分離させることができ、必ずしも電気的に接続する必要はない。また、二つのスピーカーアンプの底部は磁力によって相互を吸着させて連結させることができ、本考案の占めるスペースを節約することができる。
【符号の説明】
【００２４】
「従来」
１ａ  スピーカーアンプ
２ａ  接続ケーブル
３ａ  電源接続ケーブル
「本考案」
１    スピーカーアンプ
１１    台座
１１１    係止部材
１１２    スイッチ
１１３  インジケーターランプ
１１４  凸部
１１５  凹部
１２    スピーカー部
１２１    係止部材
１２２    透音孔
１３    弾性体
１４    ケーブル巻き取り構造
１４１    ケーブル巻き取りケース
１４２    接続ケーブル
１４３    接続ジャック
１４４    蓋カバー線
１４５    蓋カバー
１４５１    引っ張り部    
１５  ケーブル取り出し孔
１６    磁石
１７    電力供給ユニット
１７１    電池ケース
１７２    電池
２  スピーカーアンプ
２１    台座
２１１  係止部材
２１２  差し込み口
２１３  サムホイール
２１４  凸部
２１５  凹部
２２    スピーカー部
２２１  係止部材
２２２  透音孔
２３    弾性体
２４  ケーブル巻き取り構造
２４１    ケーブル巻き取りケース
２４２    接続ケーブル
２４３    接続ジャック
２４４    蓋カバー線
２４５    蓋カバー
２４５１    引っ張り部    
２５  ケーブル取り出し孔
２６  磁石
３    電気接続器
【図１】
0003158310.tif 000003
【図２】
0003158310.tif 000004
【図３】
0003158310.tif 000005
【図４】
0003158310.tif 000006
【図５】
0003158310.tif 000007
【図６】
0003158310.tif 000008